(57)【要約】【課題】本体の外部に設けられた外部キーのロック機能を有する開閉型の携帯電話機において、本体を開いた状態にすることなく、ロック機能の働きを一時解除できる携帯電話機を提供する。【解決手段】ユーザは、本体側面２０２に設けられたサイドキー２０３を長押しする。判定部３０７で長押しと判定されると、一時解除部３０８は、外部キーの操作無効設定の一時解除をロック部３０６に指示し、復帰部３０９にタイマー起動を指示する。復帰部３０９は、タイマーを起動し、操作部３０５から外部キーの操作信号を受けると、タイマーを再起動する。予め定められた一定時間を経過すると、ロック部３０６に一時解除の停止を指示する。また、開閉検出部３１０は、折り畳み部１０３の開閉を検出し、ロック部３０６に開閉状態を通知する。ロック部３０６は、開状態のとき一時解除を停止する。【選択図】図３
2010252370.tif 000002
【特許請求の範囲】
【請求項１】
開閉可能な筺体と、筐体に設けられた外部キーを含む操作部と、前記外部キーの操作に伴う処理を無効にする操作無効機能とを有する携帯通信機器であって、
前記筺体の開閉を検出する開閉検出手段と、
前記筺体が閉状態で前記操作無効機能が有効なとき、前記外部キーの少なくとも１つに所定の操作が行われたか否かを判定する判定手段と、
前記判定手段により所定の操作が行われたと判定されたとき、前記操作部の少なくとも１つについて、前記操作部の操作に伴う処理を有効にする操作制御手段とを備え、
前記操作制御手段は、操作部の操作に伴う処理を有効にした場合、タイマーを初期化して起動し操作部の操作に伴う処理を有効にしたときから時間を測定し、前記操作部の操作が所定時間行なわれないときは、前記操作部の操作に伴う処理を無効にするとともに、前記操作部の操作が前記所定時間に行われたときは、前記タイマーを初期化して時間を測定し、操作部の操作に伴う処理を前記タイマーの時間が所定時間となるときまで有効とする
ことを特徴とする携帯通信機器。
【請求項２】
前記携帯通信機器は、開状態で情報を表示する主画面を有するものであって、
閉状態で情報を表示するサブ画面を更に備え、
前記操作部は、前記サブ画面と同一面上に設けられた操作部と、本体側面に設けられたサイドキーとを含み、
前記サブ画面と同一面上に設けられた操作部が操作無効機能の対象に含まれる
ことを特徴とする請求項１記載の携帯通信機器。
【請求項３】
開閉可能な筺体と、筐体に設けられた外部キーを含む操作部と、前記外部キーの操作に伴う処理を無効にする操作無効機能とを有する携帯通信機器の制御方法であって、
前記筺体の開閉を検出する開閉検出ステップと、
前記筺体が閉状態で前記操作無効機能が有効なとき、前記操作部の少なくとも１つに所定の操作が行われたか否かを判定する判定ステップと、
前記判定ステップにおいて所定の操作が行われたと判定されたとき、前記外部キーの少なくとも１つについて、前記操作部の操作に伴う処理を有効にする操作制御ステップとを有し、
前記操作制御ステップは、操作部の操作に伴う処理を有効にした場合、タイマーを初期化して起動し操作部の操作に伴う処理を有効にしたときから時間を測定し、前記操作部の操作が所定時間行なわれないときに、前記操作部の操作に伴う処理を無効にするとともに、前記操作部の操作が前記所定時間に行われたときは、前記タイマーを初期化して時間を測定し、操作部の操作に伴う処理を前記タイマーの時間が所定時間となるときまで有効とする
ことを特徴とする携帯通信機器の制御方法。
【発明の詳細な説明】
【技術分野】
【０００１】
本発明は、携帯通信機器に関し、特にキー操作の無効を設定するキーロック機能の制御技術に関する。
【背景技術】
【０００２】
携帯通信機器である携帯電話機は、折り畳み式が主流となっている。そして、折り畳んでかばんの中にしまい込んだとき、携帯電話機の外側に配置されているキーの誤動作を防止するキーロック機能が実用化されている。このキーロック機能は、携帯電話機を開いた状態で数字キー等が配置された操作面で指定キーの押下操作によって、閉じた状態の携帯電話機の外側に配置されているキーの操作を無効に設定するものである。そのため外側に配置されているキーの操作をするには、閉じていた折り畳みを一旦開いて、指定キーを再度、押下操作して、キーの操作の無効設定を解除するようにしている。
【０００３】
また、別のキーロック方法は、例えば特許文献１又は２に開示されている。
ところで、携帯電話機の機能は、従来の通話機能だけでなく、メール機能やＷｅｂホームページの閲覧機能、更にはＦＭ放送の受信機能まで拡大している。
例えば、ＦＭ放送の受信機能を有する携帯電話機では、その本体の外部に音量調整用のキーが設けられている。ユーザがＦＭ放送を聴いている場合、その音量を調整するのに、キーロック機能が働いているときには、一旦、折り畳みを開いた状態にして、キーロック機能を解除し、音量調整をした後、また、キーロック機能を働かせるようにしなければならない。
【先行技術文献】
【特許文献】
【０００４】
【特許文献１】特開２０００−３２０９８号公報
【特許文献２】特開２００１−２８５４４２号公報
【発明の概要】
【発明が解決しようとする課題】
【０００５】
上述したように、キーロック機能が働いているときに、本体外部に設けられたキー操作を有効とするためには、わざわざ折り畳みを開くという操作が要求され、使い勝手が良くないという課題がある。
本発明は、かかる課題を合理的に解決する新規な携帯通信機器を提供することを目的とする。
【課題を解決するための手段】
【０００６】
上記目的を達成するために、本発明は、開閉可能な筺体と、筐体に設けられた外部キーを含む操作部と、前記外部キーの操作に伴う処理を無効にする操作無効機能とを有する携帯通信機器であって、前記筺体の開閉を検出する開閉検出手段と、前記筺体が閉状態で前記操作無効機能が有効なとき、前記外部キーの少なくとも１つに所定の操作が行われたか否かを判定する判定手段と、前記判定手段により所定の操作が行われたと判定されたとき、前記操作部の少なくとも１つについて、前記操作部の操作に伴う処理を有効にする操作制御手段とを備え、前記操作制御手段は、操作部の操作に伴う処理を有効にした場合、タイマーを初期化して起動し操作部の操作に伴う処理を有効にしたときから時間を測定し、前記操作部の操作が所定時間行なわれないときは、前記操作部の操作に伴う処理を無効にするとともに、前記操作部の操作が前記所定時間に行われたときは、前記タイマーを初期化して時間を測定し、操作部の操作に伴う処理を前記タイマーの時間が所定時間となるときまで有効とすることを特徴とする。
【発明の効果】
【０００７】
本発明では、ロック機能を解除することが容易に行え、再びロック機能を有効にするのも容易となる。
【図面の簡単な説明】
【０００８】
【図１】本発明に係る携帯電話機の一実施の形態の折り畳みを開いた状態の正面図である。
【図２】上記実施の形態の携帯電話機を折り畳んで閉じた状態を示す斜視図である。
【図３】上記実施の形態の構成図である。
【図４】上記実施の形態の動作を説明するフローチャートである。
【発明を実施するための形態】
【０００９】
以下、本発明に係る携帯通信機器である携帯電話機の実施の形態について、図面を用いて説明する。
（一実施の形態）
図１は、本発明に係る携帯電話機の一実施の形態の折り畳みを開いた状態の正面図である。
【００１０】
この携帯電話機１０１は、本体１０２と本体１０２の一部となる折り畳み部１０３とからなる。本体１０２には、操作キー群１０４とマイク１０５とが配置され、操作キー群１０４には、５接点キー１０６が含まれ、５接点キー１０６の中心部は、指定キーとなるロックキー１０７を構成している。折り畳み部１０３には、メイン画面１０９とスピーカ１０８とが配置されている。
【００１１】
図２は、折り畳み部１０３を折り畳み、携帯電話機１０１を閉じた状態の斜視図である。
本体１０２の右上方部には、アンテナ２０１が伸縮自在に設けられており、本体１０２の右側面２０２には、サイドキー２０３が配置されている。折り畳み部１０３を折り畳んだ状態の表面には、サブ画面２０４と５接点キー２０５とレンズ２０６とライト２０７とが配置されている。
【００１２】
この携帯電話機１０１で本体１０２の外部に設けられたキー（以下「外部キー」という）には、サイドキー２０３と５接点キー２０５とが含まれる。図３は、上記実施の形態の構成図である。携帯電話機１０１は、アンテナ２０１と、通信部３０１と、表示部３０２と、音声入出力部３０３と、制御部３０４と、操作部３０５と、ロック部３０６と、判定部３０７と、一時解除部３０８と、復帰部３０９と、開閉検出部３１０とを備えている。
【００１３】
アンテナ２０１は、基地局（図示せず）と無線によって通信を行う。基地局から受信した信号を通信部３０１に通知し、通信部３０１から通知された信号を基地局に送信する。
通信部３０１は、アンテナ２０１から通知された信号を復調して処理し、制御部３０４の制御に従い、音声入出力部３０３に音声信号を出力し、表示部３０２に表示信号を出力する。また、通信部３０１は、音声入出力部３０３から入力される音声信号を処理した信号をアンテナ２０１に通知し、表示部３０２に表示されている情報を変換した信号を通信部３０１に通知する。
【００１４】
表示部３０２は、メイン画面１０９とサブ画面２０４とからなり、液晶ディスプレイで実現される。なお、サブ画面２０４の解像度は、メイン画面１０９のそれよりも劣る。折り畳み部１０３が開かれた状態では、メイン画面１０９に表示が行われ、閉じられた状態では、サブ画面２０４に表示が行われる。
表示部３０２に表示される内容は、例えば、通信部３０１から通知されるメール内容やＥｚＷｅｂのページ内容及び操作部３０５から入力される情報であり、制御部３０４によって制御される。
【００１５】
音声入出力部３０３は、マイク１０５とスピーカ１０８とから実現され、通信内容である音声の入力や出力が制御部３０４の制御のもと行われ、制御部３０４は、ロック部３０６を介して通知される操作部３０５の操作内容に応じて、通信部３０１を制御し、表示部３０２に情報を表示し、音声入出力部３０３を制御する。また、通信部３０１から通知された内容に応じて表示部３０２の表示内容を制御し、音声入出力部３０３を制御する。また、図示しないカメラ部やＦＭ放送の受信部等を制御する。
【００１６】
操作部３０５は、操作キー群１０４とサイドキー２０３と、５接点キー２０５とを含み、ユーザの操作を受け付け、各キーの操作信号をロック部３０６を介して制御部３０４に通知する。
操作部３０５は、ロックキー１０７の押下操作をユーザから受けると、ロック部３０６にその操作信号を通知する。なお、ロック部３０６によって、外部キーの操作信号の無効設定が行われている場合には、ロックキー１０７は、ロック解除キーとして働く。なお、特別にロックキー１０７として設けない場合、従来のように５接点キーの中心のキーを決定キーとして機能させることで、５接点キー１０６によりキーロックさせることも可能である。
【００１７】
また、操作部３０５は、サイドキー２０３又は折り畳み部１０３の５接点キー２０５が押下操作を受けると、ロック部３０６と判定部３０７と復帰部３０９とに操作信号を通知する。
ロック部３０６は、操作部３０５からロックキー１０７の押下の信号の通知を受けると、外部キーの操作信号の通知を受けても、操作無効とする設定をする。この操作無効設定は、開閉検出部３１０から折り畳み部１０３が開かれた状態である開状態の検出通知を受けている場合に、操作部３０５からロック解除キー１０７（ロックキーと同じ）１０７の押下の信号を受けると、操作無効の設定を解除する。
【００１８】
ロック部３０６は、外部キーの操作無効の設定をしている場合、操作部３０５から外部キー、例えば、サイドキー２０３又は５接点キー２０５との操作信号を受けても、制御部３０４に通知しない。また、ロック部３０６は、開閉検出部３１０から折り畳み部１０３が折り畳まれた閉状態である旨の通知を受けている場合、一時解除部３０８から外部キーの操作無効設定の一時解除の指示を受けると、操作部３０５から通知されるサイドキー２０３又は５接点キー２０５の操作信号を制御部３０４に通知する。この外部キーの操作信号の制御部３０４の通知は、復帰部３０９からの一時解除の停止指示を受けるまで続けられる。
【００１９】
ロック部３０６は、復帰部３０９から一時解除の停止指示を受けると、再び外部キーの操作無効の設定をする。
判定部３０７は、サイドキー２０３の押下操作の信号が所定時間以上、例えば、２秒以上継続しているか否かを判定する。即ち、サイドキー２０３が長押しされたか否かを判定し、長押しと判定したときには、一時解除部３０８にその旨を通知する。短押しであれば何もしない。
【００２０】
一時解除部３０８は、判定部３０７からサイドキー２０３の長押し操作があった旨の通知を受けると、ロック部３０６に外部キーの操作無効設定の一時解除を指示するとともに、復帰部３０９にタイマーの起動を指示する。
復帰部３０９は、タイマーを有し、一時解除部３０８からタイマーの起動指示を受けると、タイマーをリセットして、時間の測定を開始する。操作部３０５から外部キーの操作信号の通知を受けると、タイマーをリセットし、再び時間の測定を開始する。この測定時間が予め定められた一定時間、例えば２０秒を経過すると、一時解除の停止指示をロック部３０６に通知する。
【００２１】
なお、開閉検出部３１０から開状態であるとの通知を受けたときも、ロック部３０６に一時解除の停止を指示する。
開閉検出部３１０は、折り畳み部１０３が開かれた状態の開状態であるか、折り畳まれた状態の閉状態であるかを検出し、ロック部３０６と復帰部３０９に通知する。
次に、本実施の形態の動作を図４のフローチャートを用いて説明する。
【００２２】
ロック部３０６は、操作部３０５からロックキー１０７の操作信号の通知を待って（Ｓ４０２）外部キーの操作無効の設定をする（Ｓ４０４）。
開閉検出部３１０で閉状態が検出されたか否かを判定する（Ｓ４０６）。開状態であればＳ４２０に移る。
閉状態が検出されると、判定部３０７は、所定時間以上サイドキー２０３の押下信号が操作部３０５から通知されるのを待って（Ｓ４０８）、一時解除部３０８にその旨を通知する。
【００２３】
一時解除部３０８は、ロック部３０６に外部キーの操作無効の一時解除を指示し、ロック部３０６は、外部キーの操作無効設定を一時解除する（Ｓ４１０）。
復帰部３０９は、タイマーを初期化後、起動し、時間を測定する（Ｓ４１２）。復帰部３０９は、一定時間が経過したか否かを判定し（Ｓ４１４）、一定時間が経過していれば、一時解除を停止するようロック部３０６に指示する。ロック部３０６は、外部キーの操作無効設定に戻し（S４１５）、Ｓ４０６に戻る。
【００２４】
一定時間が経過していないときは、復帰部３０９は、操作部３０５から外部キーの操作信号の通知があるか否かを判定し（Ｓ４１６）、あるときは、Ｓ４１２に戻り、ないときは、開閉検出部３１０が開状態を検出したとの通知があるか否かを判定する（Ｓ４１８）。開状態の通知がなければＳ４１４に戻り、開状態であれば、ロック部３０６に一時解除の停止を指示し、Ｓ４２０に移る。
【００２５】
Ｓ４２０において、ロック部３０６は、操作部３０５からロック解除キー１０７の押下信号が通知されたか否かを判定し、通知がなければＳ４０６に戻り、通知があれば、外部キーの操作無効設定を解除して（Ｓ４２２）、処理を終了する。
以上説明したように、ユーザは、外部キーの操作無効の設定、即ち、ロック機能が働いているとき、携帯電話機１０１が図２に示したような閉状態であっても、サイドキー２０３を長押しすることによって、一時的に操作無効設定を解除して、５接点キー２０５又はサイドキー２０３の操作を容易にすることができる。
【００２６】
この結果、ＦＭ放送の受信中であれば、音量調節等を素早くすることが可能となる。
また、閉状態でサブ画面２０４にＷｅｂサイトのページを表示させ、５接点キー２０５を操作して、ネットサーフィンを楽しむことも可能である。
なお、上記実施の形態では、その構成図を図３に示したけれども、各構成要素の機能をコンピュータに発揮させるプログラムとして記載し、携帯電話機に搭載したコンピュータにそのプログラムを実行させるようにしてもよいのは勿論である。
【００２７】
また、上記実施の形態では、ロックキー１０７を５接点キー１０６の中央部のキーとしたけれども、他のキーを指定キーとしてもよいのは、勿論である。また、ロックキー１０７の長押しを条件として、外部キーの操作無効の設定がされるようにしてもよいのは勿論である。
同様に、サイドキー２０３をロック機能の一時解除操作キーとしたけれども、他の外部キーを用いてよいのは勿論である。
【００２８】
また、上記実施の形態で判定部３０７は、サイドキー２０３の長押しを判定して、ロック機能の一時解除の判定をしたけれども、通常の操作以外の操作、複数回の短押し操作例えば、ダブルクリックのように短押しの２回連続操作の通知を受けたときに、ロック機能の一時解除を判定してもよい。
また、サイドキー２０３がない場合、折り畳み部１０３の表面に設けた５接点キー２０５を長押しまたはダブルクリックすることで、５接点キーそのもののキーロック機能を一時解除することとしてもよい。
【００２９】
また、サブ画面２０４にロック機能が働いているとき、ロック中であることを示すアイコンが表示されてもよいし、また、一時解除中に棒グラフを表示し、復帰部３０９の有するタイマーの一時解除が停止される一定時間迄の残時間がわかるよう表示してもよい。
また、上記実施の形態では、折り畳み携帯電話機について説明したけれども、本体とスライド部とからなるスライドタイプの携帯電話機についても、本発明を適用できるのは勿論である。
【００３０】
更に、上記実施の形態では、携帯電話機について説明したけれども、通話機能の他に例えば、ＦＭ放送やＴＶ受信機能等を有する携帯端末機器等の携帯通信機器で実施することができるのは勿論である。
本発明は、開閉可能な筺体と、筺体の開閉に拘らず操作可能な操作部と、前記操作部の操作に伴う処理を無効にするロック機能とを有する携帯通信機器であって、前記筺体の開閉を検出する開閉検出手段と、前記筺体が閉状態で前記ロック機能が有効なとき、前記操作部の少なくとも１つに所定の操作が行われたか否かを判定する判定手段と、前記判定手段により所定の操作が行われたと判定されたとき、前記操作部の少なくとも１つについて、前記操作部の操作に伴う処理を有効にする操作制御手段とを備える。
【００３１】
上述のような構成によって、筺体の閉状態のままで、１つの操作部に所定の操作を行なえば、操作部の操作に伴う処理が可能となるので、筺体をわざわざ開いてロック機能を解除する煩わしさがなくなる。
また、前記操作制御手段は、操作部の操作に伴う処理を有効にしたとき、前記操作部の操作が所定時間行なわれない、または前記筺体の開閉が行われたときに前記操作部の操作に伴う処理を無効にすることとしている。
【００３２】
このような構成によって、一定時間、例えば２０秒間操作部の操作がされないときには、再び操作部の操作に伴う処理を無効にすることができる。このようにすることによって、操作部が誤動作によって、操作されることによるロック機能の解除や、所定のキー操作が終了したとき、再びロック機能を有効にするための操作が必要なくなる。
同様に、筺体が開状態となったときにも、操作部の操作に伴う処理を無効にすることができる。ロック機能を解除したいのであれば、開状態であればロック解除の指定キーの押下操作のような操作をすればよいからである。
【００３３】
また、前記携帯通信機器は、開状態で情報を表示する主画面を有するものであって、閉状態で情報を表示するサブ画面を更に備え、前記操作部は、前記サブ画面と同一面上に設けられた操作部と、本体側面に設けられたサイドキーとを含み、前記サブ画面と同一面上に設けられた操作部がロック機能の対象に含まれることとしている。
このような構成によって、筺体を閉状態のままにして、操作部に所定の操作をし、サブ画面上に情報を表示させることが可能となる。
【００３４】
また、上記目的は、開閉可能な筺体と、筺体の開閉に拘らず操作可能な操作部と、前記操作部の操作に伴う処理を無効にするロック機能とを有する携帯通信機器の制御方法であって、前記筺体の開閉を検出する開閉検出ステップと、前記筺体が閉状態で前記ロック機能が有効なとき、前記操作部の少なくとも１つに所定の操作が行われたか否かを判定する判定ステップと、前記判定ステップにおいて所定の操作が行われたと判定されたとき、前記操作部の少なくとも１つについて、前記操作部の操作に伴う処理を有効にする操作制御ステップとを有することで達成できる。
【００３５】
このような方法によって、ロック機能が有効なときにも、容易に筺体外部に設けられた操作部の操作をすることができる。
【産業上の利用可能性】
【００３６】
本発明に係る携帯通信機器は、その使い勝手のよさから、家電業界での携帯通信機器の製造、販売を活発化することができる。
【符号の説明】
【００３７】
１０１  携帯電話機
１０２  本体
１０３  折り畳み部
１０４  操作キー群
１０５  マイク
１０６  ５接点キー
１０７  ロックキー（ロック解除キー）
１０８  スピーカ
１０９  メイン画面
２０１  アンテナ
２０２  本体側面
２０３  サイドキー
２０４  サブ画面
２０５  ５接点キー
２０６  レンズ
２０７  ライト
３０１  通信部
３０２  表示部
３０３  音声入出力部
３０４  制御部
３０５  操作部
３０６  ロック部
３０７  判定部
３０８  一時解除部
３０９  復帰部
３１０  開閉検出部
【図１】
2010252370.tif 000003
【図２】
2010252370.tif 000004
【図３】
2010252370.tif 000005
【図４】
2010252370.tif 000006